(57)【要約】      （修正有）【課題】ガスタービン燃焼器への燃料の分配を制御するためのシステムおよび方法を提供する。【解決手段】１つまたは複数のプロセッサ実行可能な命令を保存する非一時的コンピュータ可読記憶媒体が提供され、１つまたは複数の命令が、制御装置のプロセッサによって実行されるとき、実施されることになる動作をもたらす。実施されることになる動作は、自動調整を利用するガスタービンの燃焼器への燃料分配を制御するステップと、ガスタービンの燃焼器への燃料分配の制御を、自動調整の代わりに調整済み固定燃料分配スケジュールの利用に切り替えるステップを含む。調整済み固定燃料分配スケジュールは、バイアス値によって調整された固定燃料分配スケジュールを含み、バイアス値は、固定燃料分配スケジュールおよび自動調整ベースの燃料分配の両方に基づく。【選択図】図１
2018184943.tif 000002
【特許請求の範囲】
【請求項１】
１つまたは複数のプロセッサ実行可能な命令を保存する非一時的コンピュータ可読記憶媒体であって、前記１つまたは複数の命令は、制御装置（５０）のプロセッサ（５４）によって実行されるとき、実施されることになる動作をもたらし、
自動調整を利用するガスタービン（１０）の燃焼器（１４）への燃料分配を制御するステップと、
前記ガスタービン（１０）の前記燃焼器（１４）への燃料分配の制御を、自動調整の代わりに調整済み固定燃料分配スケジュールの利用へ切り替えるステップであって、前記調整済み固定燃料分配スケジュールが、バイアス値によって調整された固定燃料分配スケジュールを含み、前記バイアス値は、前記固定燃料分配スケジュールと、自動調整ベースの燃料分配との両方に基づく、ステップとを含む、１つまたは複数のプロセッサ実行可能な命令を保存する非一時的コンピュータ可読記憶媒体。
【請求項２】
前記実施されることになる動作が、前記バイアス値を、前記固定燃料分配スケジュールと前記自動調整ベースの燃料分配との両方に基づいて決定するステップを含む、請求項１記載の非一時的コンピュータ可読記憶媒体。
【請求項３】
前記バイアス値を決定するステップが、前記固定燃料分配スケジュールを前記自動調整ベースの燃料分配と比較するステップを含む、請求項２記載の非一時的コンピュータ可読記憶媒体。
【請求項４】
前記バイアス値を決定するステップが、前記固定燃料分配スケジュールと前記自動調整ベースの燃料分配との間の差を決定するステップを含む、請求項３記載の非一時的コンピュータ可読記憶媒体。
【請求項５】
前記実施されることになる動作が、前記固定燃料分配スケジュールと前記自動調整ベースの燃料分配との間の前記差を保存するステップを含む、請求項４記載の非一時的コンピュータ可読記憶媒体。
【請求項６】
前記実施されることになる動作が、前記固定燃料分配スケジュールを、前記バイアス値を用いて調整するステップを含む、請求項４記載の非一時的コンピュータ可読記憶媒体。
【請求項７】
前記固定燃料分配スケジュールを調整するステップが、前記固定燃料分配スケジュールから前記バイアス値を減算するステップを含む、請求項６記載の非一時的コンピュータ可読記憶媒体。
【請求項８】
前記固定燃料分配スケジュールを調整するステップが、前記バイアス値を前記固定燃料分配スケジュールに加算するステップを含む、請求項６記載の非一時的コンピュータ可読記憶媒体。
【請求項９】
前記バイアス値が、前記燃料分配を制御するために自動調整を利用する直近の期間を通して決定される平均のバイアス値を含む、請求項４記載の非一時的コンピュータ可読記憶媒体。
【請求項１０】
ガスタービン（１０）の燃焼器（１４）への燃料分配を制御するように構成されたガスタービン制御装置（５０）であって、前記ガスタービン制御装置（５０）が、自動調整を利用してガスタービン（１０）の燃焼器（１４）への燃料分配を制御するように、かつ前記ガスタービン（１０）の前記燃焼器（１４）への前記燃料分配の制御を、自動調整の代わりに調整済み固定燃料分配スケジュールの利用へ切り替えるようにプラグラムされ、前記調整済み固定燃料分配スケジュールは、バイアス値によって調整された固定燃料分配スケジュールを含み、前記バイアス値は、前記固定燃料分配スケジュールと自動調整ベースの燃料分配との両方に基づく、ガスタービン制御装置（５０）。
【請求項１１】
前記ガスタービン制御装置（５０）が、前記バイアス値を、前記固定燃料分配スケジュールと前記自動調整ベースの燃料分配との両方に基づいて決定するようにプログラムされた、請求項１０記載のガスタービン制御装置（５０）。
【請求項１２】
前記ガスタービン制御装置（５０）が、前記固定燃料分配スケジュールを、前記自動調整ベースの燃料分配と比較すること、および前記固定燃料分配スケジュールと前記自動調整ベースの燃料分配との間の差を決定することによって、前記バイアス値を決定するようにプログラムされた、請求項１１記載のガスタービン制御装置（５０）。
【請求項１３】
前記ガスタービン制御装置（５０）が、前記固定燃料分配スケジュールと前記自動調整ベースの燃料分配との間の前記差を保存するようにプログラムされた、請求項１２記載のガスタービン制御装置（５０）。
【請求項１４】
前記ガスタービン制御装置（５０）が、前記固定燃料分配スケジュールを、前記バイアス値を用いて調整するようにプログラムされた、請求項１２記載のガスタービン制御装置（５０）。
【請求項１５】
前記ガスタービン制御装置（５０）が、前記固定燃料分配スケジュールを、前記固定燃料分配スケジュールから前記バイアス値を減算することによって、調整するようにプログラムされた、請求項１４記載のガスタービン制御装置（５０）。
【発明の詳細な説明】
【技術分野】
【０００１】
本明細書で開示される主題は、ガスタービンに関し、より詳細には、ガスタービン燃焼器への燃料の分配を制御するためのシステムおよび方法に関する。
【背景技術】
【０００２】
ガスタービンシステムは、通常、圧縮器、燃焼器、およびタービンを有する少なくとも１つのガスタービンエンジンを備える。ガスタービンシステムは、それらの動作を監視、制御を行う制御システム（たとえば、制御装置）を有する。これらの制御装置は、ガスタービンの燃焼システム、およびタービンの他の動作態様を管理する。たとえば、制御装置は、燃焼器への燃料分配を制御し、所望の燃焼モード（たとえば、部分負荷の総燃料流量のとき）を維持し、ガスタービンを確立された動作境界（たとえば、燃焼ダイナミックス）内で動作させる。部分負荷運転中、燃焼器燃料分配は、一酸化炭素（ＣＯ）、窒素酸化物（ＮＯＸ）などの有害な排出物の発生に大いに影響を及ぼし得る。ガスタービンが排出に関する法令を遵守し続けるために、燃料分配の適切な制御が、必要である。
【先行技術文献】
【特許文献】
【０００３】
【特許文献１】米国特許出願公開第２０１２／０２７５８９９号明細書
【発明の概要】
【０００４】
最初に権利を主張した発明の範囲に合致する一定の実施形態が、以下に要約される。これらの実施形態は、権利を主張する発明の範囲を制限することを意図しておらず、むしろこれらの実施形態は、本発明の可能な形態の概要を提供することのみを意図している。実際、本発明は、以下に示される実施形態に類似または異なる多様な形態を包含し得る。
【０００５】
第１の実施形態によれば、１つまたは複数のプロセッサ実行可能な命令を保存する非一時的コンピュータ可読記憶媒体が提供され、１つまたは複数の命令が、制御装置のプロセッサによって実行されるとき、実施されることになる動作をもたらす。実施されることになる動作は、自動調整を利用するガスタービンの燃焼器への燃料分配を制御するステップと、ガスタービンの燃焼器への燃料分配の制御を、自動調整の代わりに調整済み固定燃料分配スケジュールの利用に切り替えるステップを含む。調整済み固定燃料分配スケジュールは、バイアス値によって調整された固定燃料分配スケジュールを含み、バイアス値は、固定燃料分配スケジュールおよび自動調整ベースの燃料分配の両方に基づく。
【０００６】
第２の実施形態によれば、ガスタービンの燃焼器への燃料分配を制御するように構成されたガスタービン制御装置が、提供される。ガスタービン制御装置は、自動調整を利用するガスタービンの燃焼器への燃料分配を制御するようにプログラムされ、ガスタービンの燃焼器への燃料分配の制御を、自動調整の代わりに調整済み固定燃料分配スケジュールの利用に切り替えるようにプログラムされる。調整済み固定燃料分配スケジュールは、バイアス値によって調整された固定燃料分配スケジュールを含み、バイアス値は、固定燃料分配スケジュールおよび自動調整ベースの燃料分配の両方に基づく。
【０００７】
第３の実施形態によれば、システムが、提供される。システムは、ガスタービンと、ガスタービンに通信可能に結合された制御装置とを含む。制御装置は、ガスタービンの燃焼器への燃料分配を制御するように構成される。制御装置は、自動調整を利用するガスタービンの燃焼器への燃料分配を制御するようにプログラムされ、ガスタービンの燃焼器への燃料分配の制御を、自動調整の代わりに調整済み固定燃料分配スケジュールの利用に切り替えるようにプログラムされる。調整済み固定燃料分配スケジュールは、バイアス値によって調整された固定燃料分配スケジュールを含み、バイアス値は、固定燃料分配スケジュールと自動調整ベースの燃料分配との間の差に基づく。
【０００８】
これらおよび他の、本発明の特徴、態様、および利点が、図面全体にわたって類似の文字が類似の部分を表す添付図面を参照しながら、以下の詳細な説明を読むことで、さらによく理解されよう。
【図面の簡単な説明】
【０００９】
【図１】制御装置に結合されたガスタービンシステムの一実施形態のブロック図である。
【図２】ガスタービンの燃焼器への燃料分配を制御するための方法の一実施形態のフローチャートである。
【発明を実施するための形態】
【００１０】
本発明の１つまたは複数の具体的な実施形態が、以下で説明される。これらの実施形態の簡潔な説明を提供する取り組みにおいて、実際の実施の全ての特徴は、本明細書で説明されない可能性がある。任意のそのような実際の実施の開発においては、任意の技術または設計スケジュールにおいてそうであるように、多数の特定実施向け設計が、実施ごとに変化し得るシステム面および商取引面の拘束条件による法令遵守などの、開発者の特定の目的を達成するために実施されなければならないことが理解されよう。その上、そのような開発作業は、複雑で時間を要することがあり、それにもかかわらず、設計、製作、および製造のルーチンの仕事となり得ることが、本開示の利益を有する当業者には理解されよう。
【００１１】
本発明の多様な実施形態の構成要素を紹介するとき、冠詞の「ａ」、「ａｎ」、「ｔｈｅ」、および「ｓａｉｄ」は、１つまたは複数の構成要素が存在することを意味することを意図する。用語「備える」、「含む」、および「有する」は、包括的であることを意図し、列挙された構成要素以外の追加の構成要素が存在し得ることを意味する。
【００１２】
通常、ガスタービンの動作中、自動化された調整システムが、指定された限度内に排出および燃焼ダイナミックスを維持するために、燃焼器の燃料分配（たとえば、自動調整ベースの燃料分配による）を制御するために利用され得る。ある条件（たとえば、極端に高い燃焼ダイナミックス、パラメータ（出力レベル）の大きな偏差、など）において、制御装置は、固定燃料分配スケジュールへ、または燃料分配の制御用テーブルへ切り替える。しかしながら、固定燃料分配は、ガスタービンが排出許容負荷で動作することを可能にできない可能性がある。開示された実施形態は、ガスタービンエンジンの燃焼器への燃料分配を制御するためのシステムおよび方法を目指す。たとえば、調整済み固定燃料分配スケジュールを利用する燃焼器の燃料分配を制御する制御装置が、提供され得る。調整済み固定燃料分配スケジュールは、最新の自動調整ベースの燃料分配と固定燃料分配スケジュールとの間の差（たとえば、バイアス値）を決定すること、およびその差を固定燃料分配スケジュールに適用すること（たとえば、減算することまたは加算すること）によって導出され得る。調整済み固定燃料分配スケジュールの利用は、排出、安定性裕度、燃焼ダイナミックス、およびリーンブローアウト裕度に関して、より堅牢な燃焼操作性（たとえば、固定燃料スケジュールの利用に比べて）を提供し得る。
【００１３】
ここで図面を見ると、図１は、ガスタービンシステム１０の一実施形態のブロック図を示す。ガスタービンシステム１０は、圧縮器１２、タービン燃焼器１４、およびタービン１６を含む。タービン燃焼器１４は、液体燃料、ガス燃料（たとえば、天然ガス）、および／または混合燃料（たとえば、天然ガスおよびプロセスガスの混合ガス）をタービン燃焼器１４内に送る燃料ノズル１８を含む。たとえば、プロセスガスは、高炉ガス、コークス炉ガス、精製所燃焼排ガス、精製装置または化学プロセスから発電される合成ガス、あるいはそれらの組合せを含み得る。示したように、各タービン燃焼器１４は、複数の燃料ノズル１８を含み得る。より具体的には、タービン燃焼器１４は、１次燃料ノズル２０および２次燃料ノズル２２を各々含み得る。１次燃料ノズル２０は、天然ガス用であり、２次燃料ノズル２２は、通常は蒸留物である代替の燃料用である。以下に詳細に説明するように、１次燃料ノズル２０および２次燃料ノズル２２は、タービン燃焼器１４内で使用するための燃料を受ける。いくつかの実施形態では、燃焼器１４は、乾燥低ＮＯＸ（ＤＬＮ）燃焼システムの一部であり得る。タービン燃焼器１４は、酸化体−燃料混合体（たとえば、空気−燃料混合体）に点火し、燃焼させ、もたらされた高温圧縮燃焼ガス２４（たとえば、噴射ガス）をタービン１６内に渡す。タービン１６内のタービンブレードは、ガスタービンシステム１０の回転軸２６に連結され、回転軸２６は、タービンシステム１０全体にわたっていくつかの他の構成要素にさらに連結され得る。燃焼ガス２４は、タービン１６のタービンブレードに対して、かつその間を流れるので、タービン１６は、回転するように駆動され、その結果、回転軸２６が回転する。最終的に、燃焼ガス２４は、排気口２８を通じてタービンシステム１０を出る。さらに、図示されている実施形態では、回転軸２６は、回転軸２６の回転によって作動される負荷３０に連結される。負荷３０は、発電機、航空機のプロペラ、または他の負荷などの、タービンシステム１０の回転出力によって動力を発生される任意の適切な装置であり得る。
【００１４】
ガスタービンシステム１０の圧縮器１２は、コンプレッサブレードを含む。圧縮器１２内のコンプレッサブレードは、上述のように、回転軸２６に連結され、回転軸２６がタービン１６によって回転を駆動されるとき、回転することになる。コンプレッサブレードは、圧縮器１２内で回転するので、圧縮器１２は、空気取入口３２から受ける空気（または任意の適切な酸化体）を圧縮し、圧縮空気３４を生成する。圧縮空気３４は次に、燃焼器１４の燃料ノズル１８内に送り込まれる。上述したように、燃料ノズル１８は、圧縮空気３４と燃料とを混合し、燃焼、たとえば燃料の浪費または過剰な排出を避けるために燃料のより完全な燃焼をもたらす燃焼のために、適切な混合比を生成する。以下の説明では、燃焼器１４の軸方向すなわち軸４２（たとえば、縦軸）、燃焼器１４の放射方向すなわち軸４４、および燃焼器１４の円周方向すなわち軸４６への参照がなされる。
【００１５】
図１に示すように、制御装置５０（たとえば、電子的および／またはプロセッサベースの制御装置）は、１つまたは複数のガスタービンシステム１０の構成要素に通信可能に結合される。いくつかの実施形態では、制御装置５０は、ガスタービンガスタービン制御装置、燃料制御装置、および／またはそれらの組合せである。いくつかの実施形態では、制御装置５０は、１つより多くの制御装置を含んでもよい。いくつかの実施形態では、制御装置５０は、システム全体にわたって配置されたセンサ（たとえば、流量センサ、温度センサ、圧力センサ、速度センサ、など）から、複数の動作パラメータ（温度、圧力、流量、など）に関するフィードバックを受け得る。いくつかの実施形態では、制御装置５０は、アクチュエータを介して、システム１０の１つまたは複数の構成要素を調整し得る。
【００１６】
制御装置５０は、プロセッサ５４に通信可能に結合されたメモリ５２（たとえば、非一時的コンピュータ可読媒体／メモリ回路）を含む。各メモリ５２は、システム１０の構成要素に関する動作を実行するために実装される命令（たとえば、プロセッサ実行可能な命令）の１つまたは複数のセットを保存する。より具体的には、メモリ５２は、ランダムアクセスメモリ（ＲＡＭ）などの揮発性メモリ、および／またはリードオンリーメモリ（ＲＯＭ）などの不揮発性メモリ、不揮発性ランダムアクセスメモリ（ＮＶＲＡＭ）、光学ドライブ、ハードディスクドライブ、またはソリッドステートドライブを含み得る。さらにプロセッサ５４は、１つまたは複数の特定用途向け集積回路（ＡＳＩＣ）、１つまたは複数のフィールドプログラマブルゲートアレイ（ＦＰＧＡ）、１つまたは複数の汎用プロセッサ、または任意のそれらの組合せを含み得る。さらに、プロセッサという用語は、当技術分野でプロセッサと呼ばれるそれらの集積回路だけに制限されず、広範に、コンピュータ、プロセッサ、マイクロコントローラ、マイクロコンピュータ、プログラマブルロジック制御装置、特定用途向け集積回路、および他のプログラマブル回路を指す。
【００１７】
制御装置５０は、燃焼システムを制御するように構成される。特に、制御装置は、燃料供給源から燃焼器１４への燃料の流れを調整し得る。制御装置５０はさらに、燃焼器１４への燃料のタイプを選択し得る。加えて、制御装置５０は、燃焼器１４の多様な燃料回路への燃料の流れの燃料割り当てを決定する燃料分配指令を生成し、実行し得る。たとえば、１次燃料ノズル２０は、燃料（たとえば、ガス燃料）を４つの異なる回路を介して供給し得て、制御装置５０は、これらの回路の各々への分配を制御し得る。いくつかの実施形態では、制御装置５０はまた、２次燃料ノズル２２に供給する回路への燃料分配を制御し得る。燃料分配指令は、燃焼器１４へ供給される燃料の総量の何パーセントが、特定の燃料回路を通じて供給されるかを決定する燃料回路毎の燃料分配割合に対応する。具体的には、制御装置５０は、燃焼器１４の燃料分配を制御するために自動調整（たとえば、オートチューン）システムを利用し得る。オートチューンシステムは、排出および燃焼ダイナミックスを指定された制限内に維持するために、動作パラメータ（たとえば、燃料比）を自動で調整する。デフォルト（たとえば、極端に高い燃焼ダイナミックス、パラメータの大きな偏差などによりオートチューンシステムが中止されたとき、など）で、制御装置５０は、燃焼器の燃料分配制御に固定燃料分配スケジュールを利用し得る。固定燃料分配スケジュールは、通常オートチューンベースの燃料分配よりも控え目である。固定燃料分配スケジュールは通常、燃料分配をガスタービンシステム１０の動作パラメータ（たとえば、負荷）に基づいて一定の割合に設定する。
【００１８】
いくつかの実施形態では、制御装置５０が燃料分配制御へのオートチューンシステム（たとえば、中止されたことにより）の利用を中止したとき、制御装置５０は、調整済み固定燃料分配スケジュールまたはテーブルの利用へ（たとえば、即時に）切り替えるように構成される。オートチューンシステムの利用の直近の期間中、制御装置５０は、オートチューンベースの燃料分配を固定燃料分配スケジュールと比較し、それらの間の差（すなわち、バイアス値）を決定するように構成される。いくつかの実施形態では、バイアス値は、オートチューンシステムが燃料分配制御中に利用された直近の期間に渡る平均値である。制御装置５０は、バイアス値をメモリ５２（たとえば、ＮＶＲＡＭ）内に保存するように構成される。制御装置５０は、固定燃料分配スケジュールをバイアス値（たとえば、バイアス値を加算または減算することにより）によって調整し、燃焼器１４への燃料分配を制御するときに利用される調整済み固定燃料分配スケジュールを生成するように構成される。いくつかの実施形態では、バイアス値は、割合変化を表し得る。調整済み固定燃料分配スケジュールの利用は、排出、安定性裕度、燃焼ダイナミックス、およびリーンブローアウト裕度に関して、より堅牢な燃焼操作性（たとえば、固定燃料スケジュールの利用に比べて）を提供し得る。
【００１９】
図２は、ガスタービン１０の燃焼器１４への燃料分配を制御するための方法５６の一実施形態のフローチャートである。方法５６は、制御装置５０によって実行され得る。方法５６の１つまたは複数のステップは、同時に、または図２の順序と異なる順序で実行され得る。方法５６は、ガスタービン１０の燃焼器１４への燃料分配を制御するためにオートチューンシステムを利用する間にガスタービン１０を運転するステップを含む（ブロック５８）。方法５６はまた、オートチューンによって利用される燃料分配（たとえば、オートチューンベースの燃料分配）を固定燃料分配スケジュールと比較する（オートチューンを利用中に）ステップを含む（ブロック６０）。方法５６は、オートチューンベースの燃料分配と固定燃料分配スケジュールとの間の差（すなわち、バイアス値）を決定し、保存または記録する（オートチューンを利用中に）ステップをさらに含む（ブロック６２）。いくつかの実施形態では、差またはバイアス値は、メモリ５２（たとえば、ＮＶＲＡＭ）内に保存される。いくつかの実施形態では、バイアス値は、オートチューンシステムが燃料分配制御中に利用された直近の期間に渡る平均値である。方法５６はまた、オートチューンシステムを用いた燃焼器１４への燃料分配を制御することを中止するステップをさらに含む（ブロック６４）。いくつかの実施形態では、制御装置５０は、一定の条件（たとえば、極端に高い燃焼ダイナミックス、パラメータ（出力レベル）の大きな偏差、など）の存在によりオートチューンを利用することを停止する。方法５６はまた、燃焼器１４への燃料分配を制御するための調整済み固定燃料分配スケジュールへ切り替え（たとえば、同時に）、利用するステップをさらに含む（ブロック６６）。上記のように、調整済み固定燃料分配スケジュールは、制御装置５０によって固定燃料分配スケジュールへバイアス値を適用することにより、生成される。
【００２０】
本発明の技術的効果は、ガスタービンエンジンの燃焼器への燃料分配を制御するためのシステムおよび方法を含む。たとえば、調整済み固定燃料分配スケジュールを利用する燃焼器の燃料分配を制御する制御装置が、提供され得る。調整済み固定燃料分配スケジュールは、最新の自動調整ベースの燃料分配と固定燃料分配スケジュールとの間の差（たとえば、バイアス値）を決定すること、およびその差を固定燃料分配スケジュールに適用すること（たとえば、減算することまたは加算すること）によって導出され得る。調整済み固定燃料分配スケジュールの利用は、排出、安定性裕度、燃焼ダイナミックス、およびリーンブローアウト裕度に関して、より堅牢な燃焼操作性（たとえば、固定燃料スケジュールの利用に比べて）を提供し得る。
【００２１】
本明細書は、任意の装置またはシステムを作り使用すること、および任意の組み込まれた方法の実施を含めて、最善のモードを含む本発明を開示するための、さらに当業者なら誰でも本発明を実践することができるようにするための実施例を使用する。本発明の特許性のある範囲は、特許請求の範囲によって定められ、当業者に見いだされる他の実施例を含んでもよい。そのような他の実施例は、特許請求の範囲の文字どおりの文言と異ならない構成要素を有するとき、または特許請求の範囲の文字どおりの文言との違いが実質的でない同等の構成要素を含むとき、特許請求の範囲内にあることが意図される。
【００２２】
最後に、代表的な実施態様を以下に示す。
［実施態様１］
１つまたは複数のプロセッサ実行可能な命令を保存する非一時的コンピュータ可読記憶媒体であって、前記１つまたは複数の命令は、制御装置（５０）のプロセッサ（５４）によって実行されるとき、実施されることになる動作をもたらし、
自動調整を利用するガスタービン（１０）の燃焼器（１４）への燃料分配を制御するステップと、
前記ガスタービン（１０）の前記燃焼器（１４）への燃料分配の制御を、自動調整の代わりに調整済み固定燃料分配スケジュールの利用へ切り替えるステップであって、前記調整済み固定燃料分配スケジュールが、バイアス値によって調整された固定燃料分配スケジュールを含み、前記バイアス値は、前記固定燃料分配スケジュールと、自動調整ベースの燃料分配との両方に基づく、ステップとを含む、１つまたは複数のプロセッサ実行可能な命令を保存する非一時的コンピュータ可読記憶媒体。
［実施態様２］
前記実施されることになる動作が、前記バイアス値を、前記固定燃料分配スケジュールと前記自動調整ベースの燃料分配との両方に基づいて決定するステップを含む、実施態様１に記載の非一時的コンピュータ可読記憶媒体。
［実施態様３］
前記バイアス値を決定するステップが、前記固定燃料分配スケジュールを前記自動調整ベースの燃料分配と比較するステップを含む、実施態様２に記載の非一時的コンピュータ可読記憶媒体。
［実施態様４］
前記バイアス値を決定するステップが、前記固定燃料分配スケジュールと前記自動調整ベースの燃料分配との間の差を決定するステップを含む、実施態様３に記載の非一時的コンピュータ可読記憶媒体。
［実施態様５］
前記実施されることになる動作が、前記固定燃料分配スケジュールと前記自動調整ベースの燃料分配との間の前記差を保存するステップを含む、実施態様４に記載の非一時的コンピュータ可読記憶媒体。
［実施態様６］
前記実施されることになる動作が、前記固定燃料分配スケジュールを、前記バイアス値を用いて調整するステップを含む、実施態様４に記載の非一時的コンピュータ可読記憶媒体。
［実施態様７］
前記固定燃料分配スケジュールを調整するステップが、前記固定燃料分配スケジュールから前記バイアス値を減算するステップを含む、実施態様６に記載の非一時的コンピュータ可読記憶媒体。
［実施態様８］
前記固定燃料分配スケジュールを調整するステップが、前記バイアス値を前記固定燃料分配スケジュールに加算するステップを含む、実施態様６に記載の非一時的コンピュータ可読記憶媒体。
［実施態様９］
前記バイアス値が、前記燃料分配を制御するために自動調整を利用する直近の期間を通して決定される平均のバイアス値を含む、実施態様４に記載の非一時的コンピュータ可読記憶媒体。
［実施態様１０］
ガスタービン（１０）の燃焼器（１４）への燃料分配を制御するように構成されたガスタービン制御装置（５０）であって、前記ガスタービン制御装置（５０）が、自動調整を利用してガスタービン（１０）の燃焼器（１４）への燃料分配を制御するように、かつ前記ガスタービン（１０）の前記燃焼器（１４）への前記燃料分配の制御を、自動調整の代わりに調整済み固定燃料分配スケジュールの利用へ切り替えるようにプラグラムされ、前記調整済み固定燃料分配スケジュールは、バイアス値によって調整された固定燃料分配スケジュールを含み、前記バイアス値は、前記固定燃料分配スケジュールと自動調整ベースの燃料分配との両方に基づく、ガスタービン制御装置（５０）。
［実施態様１１］
前記ガスタービン制御装置（５０）が、前記バイアス値を、前記固定燃料分配スケジュールと前記自動調整ベースの燃料分配との両方に基づいて決定するようにプログラムされた、実施態様１０に記載のガスタービン制御装置（５０）。
［実施態様１２］
前記ガスタービン制御装置（５０）が、前記固定燃料分配スケジュールを、前記自動調整ベースの燃料分配と比較すること、および前記固定燃料分配スケジュールと前記自動調整ベースの燃料分配との間の差を決定することによって、前記バイアス値を決定するようにプログラムされた、実施態様１１に記載のガスタービン制御装置（５０）。
［実施態様１３］
前記ガスタービン制御装置（５０）が、前記固定燃料分配スケジュールと前記自動調整ベースの燃料分配との間の前記差を保存するようにプログラムされた、実施態様１２に記載のガスタービン制御装置（５０）。
［実施態様１４］
前記ガスタービン制御装置（５０）が、前記固定燃料分配スケジュールを、前記バイアス値を用いて調整するようにプログラムされた、実施態様１２に記載のガスタービン制御装置（５０）。
［実施態様１５］
前記ガスタービン制御装置（５０）が、前記固定燃料分配スケジュールを、前記固定燃料分配スケジュールから前記バイアス値を減算することによって、調整するようにプログラムされた、実施態様１４に記載のガスタービン制御装置（５０）。
［実施態様１６］
前記ガスタービン制御装置（５０）が、前記固定燃料分配スケジュールを、前記バイアス値を前記固定燃料分配スケジュールに加算することによって、調整するようにプログラムされた、実施態様１４に記載のガスタービン制御装置（５０）。
［実施態様１７］
前記バイアス値が、前記燃料分配を制御するために自動調整を利用する直近の期間を通して決定される平均のバイアス値を含む、実施態様１２に記載のガスタービン制御装置（５０）。
［実施態様１８］
ガスタービン（１０）と、
前記ガスタービン（１０）に通信可能に結合され、前記ガスタービン（１０）の燃焼器（１４）への燃料分配を制御するように構成された制御装置（５０）であって、前記制御装置（５０）が、自動調整を利用して前記ガスタービン（１０）の前記燃焼器（１４）への前記燃料分配を制御するように、かつ前記ガスタービン（１０）の前記燃焼器（１４）への前記燃料分配の制御を、自動調整の代わりに調整済み固定燃料分配スケジュールの利用へ切り替えるようにプラグラムされ、前記調整済み固定燃料分配スケジュールは、バイアス値によって調整された固定燃料分配スケジュールを含み、前記バイアス値は、前記固定燃料分配スケジュールと自動調整ベースの燃料分配との間の差に基づく、制御装置（５０）とを備える、システム。
［実施態様１９］
前記制御装置（５０）が、前記固定燃料分配スケジュールを、前記バイアス値を前記固定燃料分配スケジュールに加算すること、または前記バイアス値を前記固定燃料分配スケジュールから減算することによって、調整するようにプログラムされた、実施態様１８に記載のシステム。
［実施態様２０］
前記バイアス値が、前記燃料分配を制御するために自動調整を利用する直近の期間を通して決定される平均のバイアス値を含む、実施態様１８に記載のシステム。
【符号の説明】
【００２３】
１０  ガスタービンシステム
１２  圧縮器
１４  タービン燃焼器
１６  タービン
１８  燃料ノズル
２０  １次燃料ノズル
２２  ２次燃料ノズル
２４  高温圧縮燃焼ガス
２６  回転軸
２８  排気口
３０  負荷
３２  空気取入口
３４  圧縮空気
４２  軸
４４  軸
４６  軸
５０  制御装置
５２  メモリ
５４  プロセッサ
５６  方法
【図１】
2018184943.tif 000003
【図２】
2018184943.tif 000004
【外国語明細書】
2018184943000001.pdf